(57)【要約】【課題】ＩＣチップが破損した場合においてもＩＣカード所有者の個人情報を確認することができるとともに、偽造を防止することができるＩＣカード積層体およびＩＣカードを提供する。【解決手段】本発明によるＩＣカード積層体１２は、第１基材シート２ａと、この第１基材シート２ａ上に配置され、インレット用基材７と、ＩＣチップ８と、アンテナ９とを有するインレット６と、このインレット６上に配置された第２基材シート５ａとを備えている。第１基材シート２ａ、インレット６、および第２基材シート５ａは、ＩＣカード１を囲む打抜線１３に沿って打ち抜かれ、インレット用基材７は、この打抜線１３を越えて突出する突出部１０を有している。この突出部１０に、打抜線１３を跨ぐようにＩＣカード１に対応するカード固有番号を表す番号識別表示部１１が設けられている。【選択図】図２
2011043956.tif 000002
【特許請求の範囲】
【請求項１】
打ち抜かれることによりＩＣカードを得るためのＩＣカード積層体において、
第１基材シートと、
この第１基材シート上に配置され、インレット用基材と、このインレット用基材上に設けられたＩＣチップと、このＩＣチップに連結されたアンテナとを有するインレットと、
このインレット上に配置された第２基材シートと、を備え、
第１基材シート、インレット、および第２基材シートは、ＩＣカードを囲む打抜線に沿って打ち抜かれ、
インレット用基材は、この打抜線を越えて突出する突出部を有し、
インレット用基材の突出部に、打抜線を跨ぐようにＩＣカードに対応するカード固有番号を表す番号識別表示部が設けられていることを特徴とするＩＣカード積層体。
【請求項２】
第１基材シート上には、複数のインレットが配置され、
第１基材シート、インレット、および第２基材シートがインレット毎に打ち抜かれて、複数のＩＣカードが得られることを特徴とする請求項１に記載のＩＣカード積層体。
【請求項３】
請求項１または２に記載のＩＣカード積層体に関し、第１基材シート、インレット、および第２基材シートを打抜線に沿って打ち抜いて得られ、側面に番号識別表示部が露出することを特徴とするＩＣカード。
【請求項４】
番号識別表示部は、インレット用基材の突出部に塗装または印刷により形成されたバーコードからなることを特徴とする請求項３に記載のＩＣカード。
【請求項５】
バーコードは、非可視光により読み取ることができる材料、磁性材料、または発光材料を塗装または印刷して形成されていることを特徴とする請求項４に記載のＩＣカード。
【請求項６】
インレット用基材は、浸含性を有する材料により形成されていることを特徴とする請求項４または５に記載のＩＣカード。
【請求項７】
インレットのアンテナから、打抜線を跨ぐように多数の細長延長部がバーコード状に延び、
この多数の細長延長部が、番号識別表示部を構成することを特徴とする請求項３に記載のＩＣカード。
【請求項８】
インレット用基材の突出部に、打抜線を跨ぐように多数のスリットがバーコード状に形成され、
この多数のスリットが、番号識別表示部を構成することを特徴とする請求項３に記載のＩＣカード。
【請求項９】
インレット用基材の突出部の色と、第１基材シート、インレット、および第２基材シートを接合する接合材の色とが互いに異なることを特徴とする請求項８に記載のＩＣカード。
【請求項１０】
インレット用基材の突出部、並びに第１基材シート、インレット、および第２基材シートを接合する接合材のうちのいずれか一方が、非可視光により読み取ることができる材料、磁性材料、または発光材料により形成されていることを特徴とする請求項８に記載のＩＣカード。
【請求項１１】
インレット用基材の突出部に、打抜線を跨ぐように多数の溝がバーコード状に形成され、
この多数の溝が、番号識別表示部を構成することを特徴とする請求項３に記載のＩＣカード。
【請求項１２】
各溝に、突出部の色とは異なる色からなるインクが充填されて固化されていることを特徴とする請求項１１に記載のＩＣカード。
【請求項１３】
インレット用基材は、打抜線の内側に所定のマージンを残して形成されていることを特徴とする請求項３乃至１２のいずれかに記載のＩＣカード。
【請求項１４】
インレット用基材に、貫通穴が設けられていることを特徴とする請求項３乃至１２のいずれかに記載のＩＣカード。
【請求項１５】
番号識別表示部は、インレットの突出部に塗装または印刷により形成され、異なる２つの符号単位を組み合わせて構成された符号からなることを特徴とする請求項３に記載のＩＣカード。
【請求項１６】
打ち抜かれることによりＩＣカードを得るためのＩＣカード積層体において、
第１基材シートと、
この第１基材シート上に配置され、インレット用基材と、このインレット用基材上に設けられたＩＣチップと、このＩＣチップに連結されたアンテナとを有するインレットと、
このインレット上に配置された第２基材シートと、を備え、
第１基材シート、インレット、および第２基材シートは、ＩＣカードを囲む打抜線に沿って打ち抜かれ、
第１基材シートおよび第２基材シートのいずれか一方の内面上に、この打抜線を跨ぐように、ＩＣカードに対応するカード固有番号を表す番号識別表示部が設けられていることを特徴とするＩＣカード積層体。
【請求項１７】
第１基材シート上には、複数のインレットが配置され、
第１基材シート、インレット、および第２基材シートがインレット毎に打ち抜かれて、複数のＩＣカードが得られることを特徴とする請求項１６に記載のＩＣカード積層体。
【請求項１８】
請求項１６または１７に記載のＩＣカード積層体に関し、第１基材シートおよび第２基材シートを打抜線に沿って打ち抜いて得られ、側面に番号識別表示部が露出することを特徴とするＩＣカード。
【請求項１９】
打ち抜かれることによりＩＣカードを得るためのＩＣカード積層体において、
第１基材シートと、
この第１基材シート上に配置され、貫通孔を有する第２基材シートと、
この第２基材シートの貫通孔に取り付けられ、ＩＣチップを有するＩＣモジュールと、を備え、
第１基材シートおよび第２基材シートは、ＩＣカードを囲む打抜線に沿って打ち抜かれ、
第１基材シートおよび第２基材シートのいずれか一方の内面上に、この打抜線を跨ぐように、ＩＣカードに対応するカード固有番号を表す番号識別表示部が設けられていることを特徴とするＩＣカード積層体。
【請求項２０】
第２基材シートは、複数の貫通孔を有し、
第２基材シートの各貫通孔にＩＣチップを有するＩＣモジュールがそれぞれ取り付けられ、
第１基材シートおよび第２基材シートがＩＣモジュール毎に打ち抜かれて、複数のＩＣカードが得られることを特徴とする請求項１９に記載のＩＣカード積層体。
【請求項２１】
請求項１９または２０に記載のＩＣカード積層体に関し、第１基材シートおよび第２基材シートを打抜線に沿って打ち抜いて得られ、側面に番号識別表示部が露出することを特徴とするＩＣカード。
【請求項２２】
ＩＣチップを内蔵するＩＣカードの所有者の個人情報を確認するためのＩＣカード所有者の個人情報確認システムにおいて、
ＩＣカードの側面に露出している番号識別表示部からカード固有番号を読み取る読取手段と、
カード固有番号に対応してＩＣチップ固有番号が予め記憶された第１データベースと、
読取手段により読み取られたカード固有番号に基づいて、第１データベースから対応するＩＣチップ固有番号を引き出す第１引出手段と、
ＩＣチップ固有番号に対応してＩＣカード所有者の個人情報が予め記憶された第２データベースと、
第１引出手段により引き出されたＩＣチップ固有番号に基づいて、第２データベースから対応するＩＣカード所有者の個人情報を引き出す第２引出手段と、
第２引出手段により引き出されたＩＣカード所有者の個人情報を表示する表示手段と、を備えたことを特徴とするＩＣカード所有者の個人情報確認システム。
【請求項２３】
ＩＣチップを内蔵するＩＣカードの所有者の個人情報を確認するためのＩＣカード所有者の個人情報確認方法において、
ＩＣカードの側面に露出している番号識別表示部からカード固有番号を読み取る工程と、
読み取られたカード固有番号に基づいて、カード固有番号に対応してＩＣチップ固有番号が予め記憶された第１データベースから、対応するＩＣチップ固有番号を引き出す工程と、
引き出されたＩＣチップ固有番号に基づいて、ＩＣチップ固有番号に対応してＩＣカード所有者の個人情報が予め記憶された第２データベースから、対応するＩＣカード所有者の個人情報を引き出す工程と、
引き出されたＩＣカード所有者の個人情報を表示する工程と、を備えたことを特徴とするＩＣカード所有者の個人情報確認方法。
【発明の詳細な説明】
【技術分野】
【０００１】
本発明は、打ち抜くことによりＩＣチップを内蔵するＩＣカードを得るためのＩＣカード積層体、ＩＣカード、ＩＣカード所有者の個人情報確認システム、およびＩＣカード所有者の個人情報確認方法に係り、とりわけ、ＩＣチップが破損した場合においてもＩＣカード所有者の個人情報を確認することができるとともに、偽造を防止することができるＩＣカード積層体、ＩＣカード、ＩＣカード所有者の個人情報確認システム、およびＩＣカード所有者の個人情報確認方法に関する。
【背景技術】
【０００２】
従来より、カード基材の表面に、顔写真及び文字等の情報が印刷され、これらの情報を覆うようにカード基材上に透明保護層が設けられたカードが知られている（例えば、特許文献１参照）。
【０００３】
このようなカードにおいては、カード基材表面に印刷された顔写真及び文字等の情報が正規の情報として扱われる。このため、カード基材から透明保護層を剥離し、カード基材表面に印刷された顔写真及び文字等の情報を削り取り、このカード基材表面に、別の顔写真及び文字等の情報を印刷して透明保護層で覆うことにより、カードの偽造を比較的容易に行うことができるという問題がある。
【０００４】
ところで、近年、運転免許証等のように、顔写真及び氏名等の個人情報を記憶させたＩＣチップを内蔵し、表面にＩＣチップに記憶されている情報と同一の顔写真及び氏名等の個人情報が印刷されたＩＣカードが使用されている。このようなＩＣカードにおいては、表面に印刷された個人情報ではなく、ＩＣチップに記憶された個人情報が正規の個人情報として扱われている。
【先行技術文献】
【特許文献】
【０００５】
【特許文献１】特許第３１９１８１５号
【発明の概要】
【発明が解決しようとする課題】
【０００６】
しかしながら、このようなＩＣカードにおいてＩＣチップが破損した場合には、ＩＣチップから顔写真及び氏名等の個人情報を読み出すことができない。この場合には、ＩＣチップに記憶された個人情報に代わり、ＩＣカード表面に印刷された顔写真及び氏名等の個人情報が正規の個人情報として扱われる。このため、故意にＩＣチップを破損し、ＩＣカード表面に印刷された顔写真及び氏名等の個人情報を削り取り、別の顔写真及び氏名等の個人情報を印刷することにより、カードの偽造を比較的容易に行うことができるという問題がある。
【０００７】
また、ＩＣチップが破損したＩＣカードの所有者の顔写真及び氏名等の個人情報を確認する場合には、オペレータが、ＩＣカードの所有者の個人情報が予め記憶されているサーバから、その所有者の個人情報を引き出して確認する作業を行っている。このため、ＩＣチップが破損した場合、ＩＣカード所有者の顔写真及び氏名等の個人情報を確認するために多くの時間が費やされる。
【０００８】
本発明は、このような点を考慮してなされたものであり、ＩＣチップが破損した場合においてもＩＣカード所有者の個人情報を確認することができるとともに、偽造を防止することができるＩＣカード積層体、ＩＣカード、ＩＣカード所有者の個人情報確認システム、およびＩＣカード所有者の個人情報確認方法を提供することを目的とする。
【課題を解決するための手段】
【０００９】
本発明は、打ち抜かれることによりＩＣカードを得るためのＩＣカード積層体において、第１基材シートと、この第１基材シート上に配置され、インレット用基材と、このインレット用基材上に設けられたＩＣチップと、このＩＣチップに連結されたアンテナとを有するインレットと、このインレット上に配置された第２基材シートと、を備え、第１基材シート、インレット、および第２基材シートは、ＩＣカードを囲む打抜線に沿って打ち抜かれ、インレット用基材は、この打抜線を越えて突出する突出部を有し、インレット用基材の突出部に、打抜線を跨ぐようにＩＣカードに対応するカード固有番号を表す番号識別表示部が設けられていることを特徴とするＩＣカード積層体である。
【００１０】
本発明は、第１基材シート上には、複数のインレットが配置され、第１基材シート、インレット、および第２基材シートがインレット毎に打ち抜かれて、複数のＩＣカードが得られることを特徴とするＩＣカード積層体である。
【００１１】
本発明は、ＩＣカード積層体に関し、第１基材シート、インレット、および第２基材シートを打抜線に沿って打ち抜いて得られ、側面に番号識別表示部が露出することを特徴とするＩＣカードである。
【００１２】
本発明は、番号識別表示部は、インレット用基材の突出部に塗装または印刷により形成されたバーコードからなることを特徴とするＩＣカードである。
【００１３】
本発明は、バーコードは、非可視光により読み取ることができる材料、磁性材料、または発光材料を塗装または印刷して形成されていることを特徴とするＩＣカードである。
【００１４】
本発明は、インレット用基材は、浸含性を有する材料により形成されていることを特徴とするＩＣカードである。
【００１５】
本発明は、インレットのアンテナから、打抜線を跨ぐように多数の細長延長部がバーコード状に延び、この多数の細長延長部が、番号識別表示部を構成することを特徴とするＩＣカードである。
【００１６】
本発明は、インレット用基材の突出部に、打抜線を跨ぐように多数のスリットがバーコード状に形成され、この多数のスリットが、番号識別表示部を構成することを特徴とするＩＣカードである。
【００１７】
本発明は、インレット用基材の突出部の色と、第１基材シート、インレット、および第２基材シートを接合する接合材の色とが互いに異なることを特徴とするＩＣカードである。
【００１８】
本発明は、インレット用基材の突出部、並びに第１基材シート、インレット、および第２基材シートを接合する接合材のうちのいずれか一方が、非可視光により読み取ることができる材料、磁性材料、または発光材料により形成されていることを特徴とするＩＣカードである。
【００１９】
本発明は、インレット用基材の突出部に、打抜線を跨ぐように多数の溝がバーコード状に形成され、この多数の溝が、番号識別表示部を構成することを特徴とするＩＣカードである。
【００２０】
本発明は、各溝に、突出部の色とは異なる色からなるインクが充填されて固化されていることを特徴とするＩＣカードである。
【００２１】
本発明は、インレット用基材は、打抜線の内側に所定のマージンを残して形成されていることを特徴とするＩＣカードである。
【００２２】
本発明は、インレット用基材に、貫通穴が設けられていることを特徴とするＩＣカードである。
【００２３】
本発明は、番号識別表示部は、インレットの突出部に塗装または印刷により形成されたモールス信号からなることを特徴とするＩＣカードである。
【００２４】
本発明は、番号識別表示部は、インレットの突出部に塗装または印刷により形成され、異なる２つの符号単位を組み合わせて構成された符号からなることを特徴とするＩＣカードである。
【００２５】
本発明は、打ち抜かれることによりＩＣカードを得るためのＩＣカード積層体において、第１基材シートと、この第１基材シート上に配置され、インレット用基材と、このインレット用基材上に設けられたＩＣチップと、このＩＣチップに連結されたアンテナとを有するインレットと、このインレット上に配置された第２基材シートと、を備え、第１基材シート、インレット、および第２基材シートは、ＩＣカードを囲む打抜線に沿って打ち抜かれ、第１基材シートおよび第２基材シートのいずれか一方の内面上に、この打抜線を跨ぐように、ＩＣカードに対応するカード固有番号を表す番号識別表示部が設けられていることを特徴とするＩＣカード積層体である。
【００２６】
本発明は、第１基材シート上には、複数のインレットが配置され、第１基材シート、インレット、および第２基材シートがインレット毎に打ち抜かれて、複数のＩＣカードが得られることを特徴とするＩＣカード積層体である。
【００２７】
本発明は、ＩＣカード積層体に関し、第１基材シートおよび第２基材シートを打抜線に沿って打ち抜いて得られ、側面に番号識別表示部が露出することを特徴とするＩＣカードである。
【００２８】
本発明は、打ち抜かれることによりＩＣカードを得るためのＩＣカード積層体において、第１基材シートと、この第１基材シート上に配置され、貫通孔を有する第２基材シートと、この第２基材シートの貫通孔に取り付けられ、ＩＣチップを有するＩＣモジュールと、を備え、第１基材シートおよび第２基材シートは、ＩＣカードを囲む打抜線に沿って打ち抜かれ、第１基材シートおよび第２基材シートのいずれか一方の内面上に、この打抜線を跨ぐように、ＩＣカードに対応するカード固有番号を表す番号識別表示部が設けられていることを特徴とするＩＣカード積層体である。
【００２９】
本発明は、第２基材シートは、複数の貫通孔を有し、第２基材シートの各貫通孔にＩＣチップを有するＩＣモジュールがそれぞれ取り付けられ、第１基材シートおよび第２基材シートがＩＣモジュール毎に打ち抜かれて、複数のＩＣカードが得られることを特徴とするＩＣカード積層体である。
【００３０】
本発明は、ＩＣカード積層体に関し、第１基材シートおよび第２基材シートを打抜線に沿って打ち抜いて得られ、側面に番号識別表示部が露出することを特徴とするＩＣカードである。
【００３１】
本発明は、ＩＣチップを内蔵するＩＣカードの所有者の個人情報を確認するためのＩＣカード所有者の個人情報確認システムにおいて、ＩＣカードの側面に露出している番号識別表示部からカード固有番号を読み取る読取手段と、カード固有番号に対応してＩＣチップ固有番号が予め記憶された第１データベースと、読取手段により読み取られたカード固有番号に基づいて、第１データベースから対応するＩＣチップ固有番号を引き出す第１引出手段と、ＩＣチップ固有番号に対応してＩＣカード所有者の個人情報が予め記憶された第２データベースと、第１引出手段により引き出されたＩＣチップ固有番号に基づいて、第２データベースから対応するＩＣカード所有者の個人情報を引き出す第２引出手段と、第２引出手段により引き出されたＩＣカード所有者の個人情報を表示する表示手段と、を備えたことを特徴とするＩＣカード所有者の個人情報確認システムである。
【００３２】
本発明は、ＩＣチップを内蔵するＩＣカードの所有者の個人情報を確認するためのＩＣカード所有者の個人情報確認方法において、ＩＣカードの側面に露出している番号識別表示部からカード固有番号を読み取る工程と、読み取られたカード固有番号に基づいて、カード固有番号に対応してＩＣチップ固有番号が予め記憶された第１データベースから、対応するＩＣチップ固有番号を引き出す工程と、引き出されたＩＣチップ固有番号に基づいて、ＩＣチップ固有番号に対応してＩＣカード所有者の個人情報が予め記憶された第２データベースから、対応するＩＣカード所有者の個人情報を引き出す工程と、引き出されたＩＣカード所有者の個人情報を表示する工程と、を備えたことを特徴とするＩＣカード所有者の個人情報確認方法である。
【発明の効果】
【００３３】
本発明によれば、ＩＣカードの側面に、カード固有番号を表す番号識別表示部が露出されている。このことにより、番号識別表示部からカード固有番号を容易に読み取ることができ、ＩＣチップが破損した場合においても、この読み取られた番号識別表示部が表すカード固有番号に基づいて、ＩＣカード所有者の個人情報を得ることができる。また、この番号識別表示部は、インレットの突出部に打抜線を跨ぐように形成されている。このことにより、ＩＣカード側面が多少削られた場合においても、番号識別表示部を露出させて、番号識別表示部が消失することを防止することができる。このため、ＩＣカードが偽造されることを確実に防止することができる。
【００３４】
また本発明によれば、ＩＣカードの側面に露出している番号識別表示部からカード固有番号が読み取られ、この読み取られたカード固有番号に基づいて、対応するＩＣチップ固有番号が引き出され、この引き出されたＩＣチップ固有番号に基づいて、対応するＩＣカード所有者の個人情報が引き出されて表示される。このことにより、ＩＣチップが破損した場合においても、番号識別表示部からカード固有番号を読み取ることにより、このカード固有番号に対応するＩＣチップ固有番号を引き出すことができ、ＩＣカード所有者の個人情報を確実に得ることができる。
【図面の簡単な説明】
【００３５】
【図１】図１は、本発明の第１の実施の形態におけるＩＣカードの断面構成を示す概略図。
【図２】図２（ａ）は、本発明の第１の実施の形態におけるＩＣカードを示す上面図。図２（ｂ）は、図２（ａ）の側面図。
【図３】図３は、本発明の第１の実施の形態におけるＩＣカード積層体を示す上面図。
【図４】図４は、本発明の第１の実施の形態におけるＩＣカードのインレットを示す上面図。
【図５】図５は、本発明の第１の実施の形態におけるＩＣカードの製造装置を示す概略図。
【図６】図６は、本発明の第１の実施の形態におけるＩＣカード所有者の個人情報確認システムを示す概略図。
【図７】図７は、本発明の第２の実施の形態におけるＩＣカードの断面構成を示す図。
【図８】図８は、本発明の第２の実施の形態におけるＩＣカードのインレットを示す図。
【図９】図９は、本発明の第３の実施の形態におけるＩＣカードの断面構成を示す図。
【図１０】図１０は、本発明の第３の実施の形態におけるＩＣカードのインレットを示す図。
【図１１】図１１は、本発明の第４の実施の形態におけるＩＣカードの断面構成を示す図。
【図１２】図１２は、本発明の第４の実施の形態におけるＩＣカードのインレットを示す図。
【図１３】図１３は、本発明の第５の実施の形態におけるＩＣカードの断面構成を示す概略図。
【図１４】図１４（ａ）は、本発明の第５の実施の形態におけるＩＣカードを示す上面図。図１４（ｂ）は、図１４（ａ）の側面図。
【図１５】図１５は、本発明の第５の実施の形態におけるＩＣカードのＩＣモジュールを示す図。
【図１６】図１６は、本発明の第５の実施の形態におけるＩＣカード積層体を示す上面図。
【図１７】図１７は、本発明の第５の実施の形態におけるＩＣカードの第１基材シートの一部を示す上面図。
【発明を実施するための形態】
【００３６】
第１の実施の形態
以下、図面を参照して、本発明の実施の形態について説明する。ここで、図１乃至図６は、本発明の第１の実施の形態におけるＩＣカード積層体、ＩＣカード、ＩＣカード所有者の個人情報確認システム、およびＩＣカード所有者の個人情報確認方法を示す図である。
【００３７】
＜ＩＣカード＞
まず、図１によりＩＣカード１の断面構成について説明する。ここで、ＩＣカード１は、外部装置（リーダ・ライタ等）と非接触で通信することができ、後述するＩＣチップ８に記憶された情報を読み取り、またはこのＩＣチップ８へ新たな情報を書き込んだりすることができるようになっている。
【００３８】
図１に示すようにＩＣカード１は、第１基材２と、この第１基材２上に第１接合層３を介して配置され、インレット用基材７と、このインレット用基材７上に設けられたＩＣチップ８と、各ＩＣチップ８に連結されたアンテナ９とを有するインレット６と、このインレット６上に第２接合層４を介して配置された第２基材５とを備えている。
【００３９】
このうち、第１基材２および第２基材５は、ＰＥＴ（ポリエチレンテレフタレート）または紙等からなっている。
【００４０】
第１接合層３および第２接合層４を形成する接合材は、ホットメルト接着剤からなり、特に、反応性ホットメルト接着剤からなっていることが好ましい。この反応性ホットメルト接着剤は、湿気を吸収することにより硬化するものであり、一般的なホットメルト接着剤と比較して接着可能時間を長くとることができ、低温での塗工に適している。
【００４１】
インレット６のインレット用基材７は、浸含性のある材料、例えば不織布からなり、図２（ａ）に示すように、第１基材および第２基材の周縁から内側に所定のマージンを残して形成されている。このことにより、第１基材２と第２基材５とがその周縁近傍においてインレット６を介在させることなく接合材によって直接接合されるため、第１基材２と第２基材５との接合力を増大させることができる。
【００４２】
また、図２（ａ）に示すように、インレット用基材７は、突出部１０を有し、この突出部１０の上面に、バーコード（番号識別表示部）１１が形成されている。このバーコード１１は、インレット用基材７の内方から第１基材２および第２基材５の端縁に向かって延び、図２（ｂ）に示すように、一端がＩＣカード１の側面に露出するようになっている。なお、バーコード１１は、インレット用基材７の突出部１０の下面に形成するようにしても良い。
【００４３】
ＩＣチップ８は、情報を記録するためのメモリを含み、図示しない外部装置により、アンテナ９を介してＩＣチップ８に記録された情報を読み出したり、アンテナ９を介してＩＣチップ８に新たな情報を書き込んだりすることができるようになっている。そして、ＩＣカード１のこのような機能を発現するための回路配線がＩＣチップ８に書き込まれている。
【００４４】
アンテナ９は、インレット用基材７上で略コイル状に形成され、ＩＣチップ８と電気的に接続されている。また、アンテナ９は、例えば、スクリーン印刷機を用いて導電性インキをインレット用基材７上に塗布することにより、あるいはインレット用基材７上に銅またはアルミニウム等からなる導電性箔を打ち抜き転写することにより、あるいはインレット用基材７上に積層された銅またはアルミニウム等からなる導電性箔にエッチングを施して所望の形状にパターニングすること等により、インレット用基材７上に形成することができる。
【００４５】
＜ＩＣカード積層体＞
次に、図１、図３、および図４により、ＩＣカード積層体１２について説明する。ＩＣカード積層体１２は、多面付用の第１基材シート２ａと、この多面付用の第１基材シート２ａ上に多数配置されたインレット６（本実施の形態においては５０個）と、この多数のインレット６上に配置された多面付用の第２基材シート５ａとを有している。
【００４６】
このうち、多面付用の第１基材シート２ａおよび多面付用の第２基材シート５ａは、５０個のＩＣカードを製造可能な大きさを有している。図３における第１基材シート２ａおよび第２基材シート５ａは、その一例として、５列×１０段のＩＣカード１を製造可能な大きさを有している。
【００４７】
これら多面付用の第１基材シート２ａ、インレット６、および多面付用の第２基材シート５ａからなるＩＣカード積層体１２は、インレット６毎に各ＩＣカード１を囲む打抜線１３に沿って打ち抜かれて、図１および図２（ａ）、（ｂ）に示す単体のＩＣカード１が得られるようになっている。
【００４８】
図４に示すように、各インレット用基材７は、各ＩＣカード１を囲む打抜線１３を越えて突出する突出部１０を有している。各インレット用基材７の突出部１０の上面に、打抜線１３を跨ぐように各ＩＣカード１に対応するカード固有番号を表すバーコード１１が設けられている。
【００４９】
このバーコード１１は、インレット用基材７の突出部１０に、非可視光により読み取ることができる材料、磁性材料、または発光材料を塗装または印刷して形成されている。このことにより、ＩＣカード１側面に露出したバーコード１１を専用の装置（図示せず）を用いた場合にのみ読み取ることができるようになり、バーコード１１が不正に読み取られることを防止している。また、不織布に塗装または印刷によりバーコード１１を形成しているため、上述の材料が不織布内部に浸含し、ＩＣカード１の側面に露出するバーコード１１の厚みを増大させることができる。このことにより、バーコード１１をＩＣカード１の側面に確実に露出させることができる。
【００５０】
＜ＩＣカードの製造装置＞
次に、このような構成からなるＩＣカード１を製造するためのＩＣカード製造装置２１について説明する。
【００５１】
ＩＣカード製造装置２１は、例えば、５０個のＩＣカード１を製造可能な大きさからなる枚葉状の第１基材シート２ａを積層する基材積層手段２２と、連続状の第２基材シート５ａが巻き付けられた基材巻付手段２３と、基材積層手段２２から搬送される第１基材シート２ａに反応性ホットメルト接着剤を塗布して第１接着剤塗布手段２４とを有している。このうち第１接着剤塗布手段２４は、第１基材シート２ａを吸引保持するサクションロール２４ａと、このサクションロール２４ａに吸引保持された第１基材シート２ａに反応性ホットメルト接着剤を塗布するダイ２４ｂとを含んでいる。
【００５２】
第１接着剤塗布手段２４の下流側に、第１基材シート２ａ上に５０個のインレット６を配置するインレット配置手段２５が設けられている。このインレット配置手段２５は、第１基材シート２ａ上に配置される各インレット６を一括して吸着保持する中間ステーション２５ａを有している。
【００５３】
インレット配置手段２５の近傍に、中間ステーション２５ａに保持された各インレット用基材７の突出部１０に、打抜線１３を跨ぐように各ＩＣカード１に対応するカード固有番号を表すバーコード１１を塗装または印刷するバーコード形成手段２６が設けられている。このバーコード形成手段２６は、非可視光により読み取ることができる材料、磁性材料、または発光材料を塗装または印刷してバーコード１１を形成するように構成されている。
【００５４】
インレット配置手段２５の下流側に、基材巻付手段２３から繰り出される第２基材シート５ａに、反応性ホットメルト接着剤を塗布する第２接着剤塗布手段２７が設けられている。この第２接着剤塗布手段２７は、第２基材シート５ａを案内して下流側に搬送するロール２７ａと、このロール２７ａ上の第２基材シート５ａに反応性ホットメルト接着剤を塗布するダイ２７ｂとを含んでいる。
【００５５】
第２接着剤塗布手段２７に隣接して、第１基材シート２ａ上に多数のインレット６を介して第２基材シート５ａを貼り合わせる貼合手段２８が設けられている。この貼合手段２８は、第１基材シート２ａ、インレット６、第２基材シート５ａをニップする一対のニップロール２８ａからなっている。この一対のニップロール２８ａのうちの一方は、上述した第２接着剤塗布手段２７のロール２７ａにより構成されている。
【００５６】
第１接着剤塗布手段２４とインレット配置手段２５との間に、第１基材シート２ａに塗布された反応性ホットメルト接着剤を加熱して保温する第１保温加熱手段２９ａが設けられている。また、インレット配置手段２５と貼合手段２８との間に、第１基材シート２ａに塗布された反応性ホットメルト接着剤を加熱して保温する第２保温加熱手段２９ｂが設けられている。
【００５７】
貼合手段２８の下流側に、第１基材シート２ａ、インレット６、および第２基材シート５ａを加熱しながら加圧する加熱加圧手段３０が設けられている。この加熱加圧手段３０は、貼り合わされた第１基材シート２ａ、インレット６、および第２基材シート５ａを加圧しながら搬送する一対のコンベア３０ａと、一対のコンベア３０ａにより搬送されている第１基材シート２ａ、インレット６、および第２基材シート５ａを加熱する加熱手段（図示せず）とを含んでいる。
【００５８】
加熱加圧手段３０の下流側に、加熱された第１基材シート２ａ、インレット６、および第２基材シート５ａを冷却して加圧する冷却加圧手段３１が設けられている。この冷却加圧手段３１は、第１基材シート２ａ、インレット６、および第２基材シート５ａを加圧しながら搬送する一対のコンベア３１ａと、一対のコンベア３１ａにより搬送されている第１基材シート２ａ、インレット６、および第２基材シート５ａを冷却する冷却手段（図示せず）とを含んでいる。
【００５９】
冷却加圧手段３１の下流側に、第２基材シート５ａを所定の位置において切断するカッタユニット３２ａからなる切断手段３２が設けられている。このように第２基材シート５ａが切断されて枚葉状になることにより、図３に示す多面付用の第１基材シート２ａと、多数のインレット６と、多面付用の第２基材シート５ａとを有するＩＣカード積層体１２が得られる。
【００６０】
切断手段３２の下流側に、ＩＣカード積層体１２を集積する集積保管手段３３が設けられている。この集積保管手段３３において、ＩＣカード積層体１２は、１〜数十枚毎に、第１基材シート２ａの大きさに対応する大きさを有する金属板３３ａ（例えば、ステンレス製）を介在させて集積され、空調環境下にて１週間程度保管される。
【００６１】
集積保管手段３３の下流側に、ＩＣカード積層体１２の第２基材シート５ａ上に定形印刷を施す定形印刷手段３４が設けられている。
【００６２】
定形印刷手段３４の下流側に、ＩＣカード積層体１２をインレット６毎に打ち抜く打抜手段３５が設けられている。この打抜手段３５においては、図４に示すように、インレット６の突出部１０に形成されたバーコード１１を裁断するように、ＩＣカード積層体１２がインレット６毎に打抜線１３に沿って打ち抜かれる。このようにして、第１基材２とインレット６と第２基材５とを有し、ＩＣカード１の側面にバーコード１１が露出した単体のＩＣカード１が得られる（図２（ａ）、（ｂ）参照）。
【００６３】
＜ＩＣカードの製造方法＞
次に、このような構成からなるＩＣカード１の製造方法について説明する。
【００６４】
まず、図５に示すように、枚葉状の第１基材シート２ａが、基材積層手段２２から第１接着剤塗布手段２４に搬送される。搬送された第１基材シート２ａは、第１接着剤塗布手段２４のサクションロール２４ａに吸引保持されて、この第１基材シート２ａにダイ２４ｂから反応性ホットメルト接着剤が塗布される。
【００６５】
次に、この第１基材シート２ａは、第１保温加熱手段２９ａにより第１基材シート２ａ上の反応性ホットメルト接着剤が加熱されて保温されながら、インレット配置手段２５に搬送される。
【００６６】
この間、図４に示すようなインレット用基材７が準備され、このインレット用基材７上に、略コイル状にアンテナ９が形成される。この場合、例えば、スクリーン印刷機を用いて導電性インキがインレット用基材７上に塗布される、あるいはインレット用基材７上に銅またはアルミニウム等からなる導電性箔を打抜転写することにより、あるいはインレット用基材７上に積層された銅またはアルミニウム等からなる導電性箔にエッチングを施して所定の形状にパターニングすること等により、アンテナ９が形成される。
【００６７】
次に、インレット配置手段２５の中間ステーション２５ａに、５０個のインレット６が吸着保持され、バーコード形成手段２６により、各インレット用基材７の突出部１０に、打抜線１３を跨ぐように各ＩＣカード１に対応するカード固有番号を表すバーコード１１が形成される。その後、各インレット６が第１基材シート２ａ上に載置される。
【００６８】
次に、インレット６が載置された第１基材シート２ａは、第２保温加熱手段２９ｂにより、第１基材シート２上の反応性ホットメルト接着剤が加熱されて保温されながら、貼合手段２８に搬送される。
【００６９】
この間、基材巻付手段２３から第２接着剤塗布手段２７に第２基材シート５ａが連続して繰り出される。繰り出された第２基材シート５ａは第２接着剤塗布手段２７のロール２７ａに保持されて、この第２基材シート５ａにダイ２７ｂから反応性ホットメルト接着剤が塗布される。
【００７０】
次に、貼合手段２８の一対のニップロール２８ａにより、第１基材シート２ａ、インレット６、および第２基材シート５ａがニップされて貼り合わせられる。
【００７１】
次に、貼り合わされた第１基材シート２ａ、インレット６、および第２基材シート５ａが、加熱加圧手段３０に搬送され、加熱されながら加圧される。この間、第１基材シート２ａ、インレット６、および第２基材シート５ａが、図示しない加熱手段により加熱される。このことにより、第１基材シート２ａ、インレット６、および第２基材シート５ａを所定の厚さで平滑に接合することができる。
【００７２】
次に、加熱加圧された第１基材シート２ａ、インレット６、および第２基材シート５ａが冷却加圧手段３１に搬送され、冷却されながら加圧される。この間、第１基材シート２ａ、インレット６、および第２基材シート５ａが、図示しない冷却手段により冷却される。このことにより、第１基材シート２ａ、インレット６、および第２基材シート５ａを、平滑性を維持しながら冷却することができる。
【００７３】
次に、冷却加圧された第１基材シート２ａ、インレット６、および第２基材シート５ａが切断手段３２に搬送され、第２基材シート５ａが、第１基材シート２ａに対応する大きさとなるように切断される。このことにより、第２基材シート５ａが切断されて枚葉状になり、多面付用の第１基材シート２ａと、５０個のインレット６と、多面付用の第２基材シート５ａとを有するＩＣカード積層体１２（図３参照）を形成することができる。
【００７４】
次に、ＩＣカード積層体１２が集積保管手段３３に搬送されて、集積されて保管される。この場合、ＩＣカード積層体１２に、１〜数十枚毎に金属板３３ａが介在される。このことにより、各ＩＣカード積層体１２の平滑性を維持しながら保管することができる。また、この場合、空調環境下に１週間程度保管される。このことにより、第１接合層３および第２接合層４を形成する反応性ホットメルト接着剤が湿気を吸収して硬化することができる。
【００７５】
次に、ＩＣカード積層体１２が定形印刷手段３４に搬送され、ＩＣカード積層体１２の第２基材シート５ａに定形印刷が施される。
【００７６】
その後、ＩＣカード積層体１２が打抜手段３５に搬送され、インレット６毎に打ち抜かれる。この場合、図４に示すように、インレット６の突出部１０に形成されたバーコード１１を裁断するように、ＩＣカード積層体１２がインレット６毎に打抜線１３に沿って打ち抜かれる。このことにより、ＩＣカード１の側面にバーコード１１が露出した単体のＩＣカード１を形成することができる（図２（ａ）、（ｂ）参照）。
【００７７】
＜ＩＣカード所有者の個人情報確認システム＞
次に、このようにして得られたＩＣカード１の所有者の個人情報を確認するＩＣカード所有者の個人情報確認システム４１について説明する。
【００７８】
図６に示すように、ＩＣチップ８を内蔵するＩＣカード所有者の個人情報確認システム４１は、ＩＣカード１の側面に露出しているバーコード１１からカード固有番号を読み取る読取手段４２と、カード固有番号に対応してＩＣチップ固有番号が予め記憶された第１データベース４３と、読取手段４２により読み取られたカード固有番号に基づいて、第１データベース４３から対応するＩＣチップ固有番号を引き出す第１引出手段４４とを備えている。このうち、第１データベース４３および第１引出手段４４は、第１サーバ４５内に構成されている。
【００７９】
この第１サーバ４５に、第２サーバ４８が接続されており、この第２サーバ４８は、ＩＣチップ固有番号に対応してＩＣカード所有者の個人情報が予め記憶された第２データベース４６と、第１引出手段４４により引き出されたＩＣチップ固有番号に基づいて、第２データベース４６から対応するＩＣカード所有者の個人情報を引き出す第２引出手段４７とを有している。
【００８０】
第２サーバ４８に、第２引出手段４７により引き出されたＩＣカード所有者の個人情報を表示する表示手段４９が接続されている。
【００８１】
なお、第１データベース４３、第１引出手段４４、第２データベース４６、および第２引出手段４７は、第１サーバ４５および第２サーバ４８のうちのいずれか一方のサーバ内に一括して構成するようにしても良い。
【００８２】
＜ＩＣカード所有者の個人情報確認方法＞
次に、ＩＣカード１の所有者の個人情報を確認するＩＣカード所有者の個人情報確認方法について説明する。
【００８３】
まず、ＩＣカード１の側面に露出しているバーコード１１からカード固有番号が読取手段４２により読み取られる。
【００８４】
次に、読み取られたカード固有番号に基づいて、第１引出手段４４によって第１データベース４３からカード固有番号に対応するＩＣチップ固有番号が引き出される。
【００８５】
次に、引き出されたＩＣチップ固有番号に基づいて、第２引出手段４７によって第２データベース４６からＩＣチップ固有番号に対応するＩＣカード所有者の個人情報が引き出される。
【００８６】
その後、引き出されたＩＣカード所有者の個人情報が表示手段４９に表示される。このことにより、ＩＣカード所有者の個人情報を確認することができる。
【００８７】
このように本実施の形態によれば、ＩＣカード１の側面に、カード固有番号を表すバーコード１１が露出されている。このことにより、バーコード１１からカード固有番号を容易に読み取ることができ、ＩＣチップ８が破損した場合においても、この読み取られたカード固有番号に基づいて、ＩＣカード所有者の個人情報を得ることができる。また、このバーコード１１は、インレット用基材７の突出部１０に打抜線１３を跨ぐように形成されている。すなわち、バーコード１１は、インレット用基材７上において、インレット用基材７の内方から第１基材２および第２基材５の端縁に向かって延びている。このことにより、ＩＣカード１側面が多少削られた場合においても、バーコード１１を露出させることができ、バーコード１１が消失することを防止することができる。このため、ＩＣカード１が偽造されることを確実に防止することができる。
【００８８】
また本実施の形態によれば、ＩＣカード１の側面に露出しているバーコード１１からカード固有番号が読み取られ、この読み取られたカード固有番号に基づいて、対応するＩＣチップ固有番号が引き出され、この引き出されたＩＣチップ固有番号に基づいて、対応するＩＣカード所有者の個人情報が引き出されて表示される。このことにより、ＩＣチップ８が破損した場合においても、バーコード１１からカード固有番号を読み取ることにより、このカード固有番号に対応するＩＣチップ固有番号を引き出すことができ、ＩＣカード所有者の個人情報を確実に得ることができる。
【００８９】
なお、本実施の形態においては、ＩＣカード積層体１２が、多面付用の第１基材シート２ａと、この多面付用の第１基材シート２ａ上に配置された５０個のインレット６と、この５０個のインレット６上に配置された多面付用の第２基材シート５ａとを有し、このＩＣカード積層体１２がインレット６毎に打ち抜かれて、一つのＩＣカード積層体１２から５０個のＩＣカード１が得られる例について述べた。しかしながらこのことに限られることはなく、第１基材シート２ａおよび第２基材シート５ａを、任意の個数のＩＣカード１を製造可能な大きさとして、これに対応する個数のインレット６を第１基材シート２ａ上に配置してもよい。例えば、第１基材シート２ａおよび第２基材シート５ａを、１つのＩＣカード１を製造可能な大きさとして、１つのインレット６を第１基材シート２ａ上に配置し、一つのＩＣカード積層体１２から１個のＩＣカード１が得られるようにしても良い。
【００９０】
また、本実施の形態においては、インレット用基材７が、打抜線１３の内方に所定のマージンを残して形成されている例について述べた。しかしながらこのことに限られることはなく、インレット用基材７が、このようなマージンを残すように形成することなく、第１基材２および第２基材５に対応する大きさを有し、インレット用基材７に、第１接合層３と第２接合層４を直接接合する貫通穴が設けられるようにしても良い。この場合、第１基材シート２ａと第２基材シート５ａとが部分的にインレット６を介在させることなく直接接合されるため、第１基材シート２ａと第２基材シート５ａとの接合力を増大させることができる。
【００９１】
また、本実施の形態においては、インレット用基材７の突出部１０上に、バーコード１１が形成されている例について述べた。しかしながらこのことに限られることはなく、インレット用基材７の突出部１０上に、異なる２つの符号単位を組み合わせて構成された符号、例えばモールス符号（図示せず）を形成して、ＩＣカード１の側面に露出するようにしてもよい。この場合、２つの符号単位は、短点とこの短点の３倍の長さを有する長点とからなり、モールス符号は、これら短点と長点と短点に相当する間隔とにより構成される。
【００９２】
さらに、本実施の形態においては、インレット用基材７の突出部１０上に、バーコード１１が形成されている例について述べた。しかしながらこのことに限られることはなく、第１基材シート２ａの内面上（図１４（ｂ）参照）または、第２基材シート５ａの内面上（図示せず）に、バーコード１１を設けてもよい。この場合、インレット６のインレット用基材７は、突出部１０を有することなく、略矩形状に形成してもよい。
【００９３】
第２の実施の形態
次に、図７および図８により、本発明の第２の実施の形態におけるＩＣカードについて説明する。
【００９４】
図７および図８に示す第２の実施の形態におけるＩＣカードにおいて、インレットのアンテナから、打抜線を跨ぐように多数の細長延長部がバーコード状に延び、この多数の細長延長部が、番号識別表示部を構成している点が主に異なり、他の構成は、図１乃至図６に示す第１の実施の形態と略同一である。なお、図７および図８において、図１乃至図６に示す第１の実施の形態と同一部分には同一符号を付して詳細な説明は省略する。
【００９５】
図７および図８に示すように、インレット６のアンテナ９から、打抜線１３を跨ぐように多数の細長延長部５１がバーコード状に延び、この多数の細長延長部５１が、カード固有番号を表す番号識別表示部を構成している。このことにより、この多数の細長延長部５１からバーコードと同様にしてカード固有番号を読み取ることができるようになっている。
【００９６】
この多数の細長延長部５１は、アンテナ９と共に、例えば、スクリーン印刷機を用いて導電性インキをインレット用基材７上に塗布することにより、あるいはインレット用基材７上に銅またはアルミニウム等からなる導電性箔を打ち抜き転写することにより、あるいはインレット用基材７上に積層された銅またはアルミニウム等からなる導電性箔にエッチングを施して所望の形状にパターニングすること等により、インレット用基材７上に形成することができる。なお、この多数の細長延長部５１は、アンテナ９に連結されることなく、アンテナ９と分断されていても良い。
【００９７】
このようにして形成されたインレット６を含むＩＣカード積層体１２をインレット６毎に打抜線１３に沿って打ち抜くことにより、ＩＣカード１の側面に、バーコード状の多数の細長延長部５１を露出させることができる。
【００９８】
このように本実施の形態によれば、ＩＣカード１の側面に、カード固有番号を表す多数の細長延長部５１が露出されている。このことにより、この多数の細長延長部５１からカード固有番号を容易に読み取ることができ、ＩＣチップ８が破損した場合においても、この読み取られたカード固有番号に基づいて、ＩＣカード所有者の個人情報を得ることができる。また、この多数の細長延長部５１は、インレット用基材７の突出部１０に打抜線１３を跨ぐように形成されている。すなわち、この多数の細長延長部５１は、インレット用基材７上において、インレット用基材７の内方から第１基材２および第２基材５の端縁に向かって延びている。このことにより、ＩＣカード１側面が多少削られた場合においても、この多数の細長延長部５１を露出させることができ、多数の細長延長部５１が消失することを防止することができる。このため、ＩＣカード１が偽造されることを確実に防止することができる。
【００９９】
また本実施の形態によれば、インレット用基材７上にアンテナ９を形成する際、この多数の細長延長部５１を同時に形成することができる。このことにより、番号識別表示部としての多数の細長延長部５１を有するＩＣカード１を比較的短時間で製造することができる。
【０１００】
第３の実施の形態
次に、図９および図１０により、本発明の第３の実施の形態におけるＩＣカードについて説明する。
【０１０１】
図９および図１０に示す第３の実施の形態におけるＩＣカードにおいて、インレット用基材の突出部に、打抜線を跨ぐように多数のスリットがバーコード状に形成され、この多数のスリットが、番号識別表示部を構成している点が主に異なり、他の構成は、図１乃至図６に示す第１の実施の形態と略同一である。なお、図９および図１０において、図１乃至図６に示す第１の実施の形態と同一部分には同一符号を付して詳細な説明は省略する。
【０１０２】
図９および図１０に示すように、インレット用基材７は、例えば、ＰＥＴ等の樹脂シートからなり、インレット用基材７の突出部１０に、打抜線１３を跨ぐように多数のスリット５２がバーコード状に形成され、この多数のスリット５２が、カード固有番号を表す番号識別表示部を構成している。
【０１０３】
また、インレット用基材７の突出部１０の色と、第１接合層３および第２接合層４を形成する反応性ホットメルト接着剤（接合材）の色とは互いに異なっている。このことにより、この多数のスリット５２からバーコードと同様にしてカード固有番号を読み取ることができるようになっている。
【０１０４】
なお、インレット用基材７の突出部１０、並びに第１接合層３および第２接合層４を形成する接合材のうちのいずれか一方が、非可視光により読み取ることができる材料、磁性材料、または発光材料により形成されていることが好ましい。このことにより、この多数のスリット５２を専用の装置（図示せず）を用いた場合にのみ読み取ることができるようになり、ＩＣカード１の多数のスリット５２からカード固有番号が不正に読み取られることを防止している。
【０１０５】
このようにして形成されたインレット６を含むＩＣカード積層体１２をインレット６毎に打抜線１３に沿って打ち抜くことにより、ＩＣカード１の側面に、バーコード状の多数のスリット５２を露出させることができる。
【０１０６】
このように本実施の形態によれば、ＩＣカード１の側面に、カード固有番号を表す多数のスリット５２が露出されている。このことにより、この多数のスリット５２からカード固有番号を容易に読み取ることができ、ＩＣチップ８が破損した場合においても、この読み取られたカード固有番号に基づいて、ＩＣカード所有者の個人情報を得ることができる。また、この多数のスリット５２は、インレット用基材７の突出部１０に打抜線１３を跨ぐように形成されている。すなわち、この多数のスリット５２は、インレット用基材７上において、インレット用基材７の内方から第１基材２および第２基材５の端縁に向かって延びている。このことにより、ＩＣカード１側面が多少削られた場合においても、この多数のスリット５２を露出させることができ、この多数のスリット５２が消失することを防止することができる。このため、ＩＣカード１が偽造されることを確実に防止することができる。
【０１０７】
また本実施の形態によれば、インレット用基材７の突出部１０に、多数のスリット５２が形成されて、番号識別表示部を構成している。このことにより、インレット６に番号識別表示部をより一層明瞭に形成することができ、ＩＣカード１側面に、より一層明瞭に露出させることができる。
【０１０８】
第４の実施の形態
次に、図１１および図１２により、本発明の第４の実施の形態におけるＩＣカードについて説明する。
【０１０９】
図１１および図１２に示す第４の実施の形態におけるＩＣカードにおいて、インレット用基材の突出部に、打抜線を跨ぐように多数の溝がバーコード状に形成され、この多数の溝が、番号識別表示部を構成している点が主に異なり、他の構成は、図１乃至図６に示す第１の実施の形態と略同一である。なお、図１１および図１２において、図１乃至図６に示す第１の実施の形態と同一部分には同一符号を付して詳細な説明は省略する。
【０１１０】
図１１および図１２に示すように、インレット用基材７は、例えば、ＰＥＴ等の樹脂シートからなり、インレット用基材７の突出部１０の上面に、打抜線１３を跨ぐように多数の溝５３がバーコード状に形成されている。各溝５３に、インレット用基材７の突出部１０の色とは異なる色からなるインク５４が充填されて固化され、この多数の溝５３が、カード固有番号を表す番号識別表示部を構成している。このことにより、この多数の溝５３からバーコードと同様にしてカード固有番号を読み取ることができるようになっている。なお、インレット用基材７の突出部１０の上面ではなく、下面に、この多数の溝５３を設けるようにしても良い。
【０１１１】
また、インレット用基材７の突出部１０、および各溝５３に充填されるインク５４のうちのいずれか一方が、非可視光により読み取ることができる材料、磁性材料、または発光材料により形成されていることが好ましい。このことにより、この多数の溝５３を専用の装置（図示せず）を用いた場合にのみ読み取ることができるようになり、ＩＣカード１の多数の溝５３からカード固有番号が不正に読み取られることを防止している。
【０１１２】
このように本実施の形態によれば、ＩＣカード１の側面に、カード固有番号を表す多数の溝５３が露出されている。このことにより、この多数の溝５３からカード固有番号を容易に読み取ることができ、ＩＣチップ８が破損した場合においても、この読み取られたカード固有番号に基づいて、ＩＣカード所有者の個人情報を得ることができる。また、この多数の溝５３は、インレット用基材７の突出部１０に打抜線１３を跨ぐように形成されている。すなわち、この多数の溝５３は、インレット用基材７上において、インレット用基材７の内方から第１基材２および第２基材５の端縁に向かって延びている。このことにより、ＩＣカード１側面が多少削られた場合においても、この多数の溝５３を露出させることができ、この多数の溝５３が消失することを防止することができる。このため、ＩＣカード１が偽造されることを確実に防止することができる。
【０１１３】
また本実施の形態によれば、インレット用基材７の突出部１０に、多数の溝５３が形成されて、番号識別表示部を構成している。このことにより、インレット６に番号識別表示部をより一層明瞭に形成することができ、ＩＣカード１側面に、より一層明瞭に露出させることができる。
【０１１４】
第５の実施の形態
次に、図１３乃至図１７により、本発明の第５の実施の形態におけるＩＣカードについて説明する。
【０１１５】
図１３乃至図１７に示す第５の実施の形態におけるＩＣカードは、ＩＣチップを有するＩＣモジュールを備えた接触型のＩＣカードであって、第１基材の内面上にバーコードが設けられている点が主に異なり、他の構成は、図１乃至図６に示す第１の実施の形態と略同一である。なお、図１３乃至図１７において、図１乃至図６に示す第１の実施の形態と同一部分には同一符号を付して詳細な説明は省略する。
【０１１６】
図１３および図１４（ａ）に示すＩＣカード１は、第１基材２と、この第１基材２上に接合層５９を介して配置され、貫通孔５５を有する第２基材５と、第２基材５の貫通孔５５に取り付けられ、ＩＣチップ８を有するＩＣモジュール５６とを備えている。このうち、接合層５９を形成する接合材は、ホットメルト接着剤からなり、特に、反応性ホットメルト接着剤からなっていることが好ましい。
【０１１７】
第１基材２の内面上にバーコード１１が設けられ、このバーコード１１は、第１基材２の内方から打抜線１３（第１基材２の端縁）に向かって延び、一端がＩＣカード１の側面に露出するようになっている（図１４（ｂ）参照）。
【０１１８】
図１５に示すように、ＩＣモジュール５６は、ＩＣチップ８と、このＩＣチップ８上に設けられた基板５７と、この基板５７上に設けられ、ＩＣカード１表面に露出する外部端子５８とを有している。このうち外部端子５８を外部装置（リーダ・ライタ等）に接触させることにより、外部装置とＩＣチップ８とが通信可能になるように構成されている。
【０１１９】
次に、図１６を用いて、このようなＩＣカード１を製造するためのＩＣカード積層体１２について説明する。ＩＣカード積層体１２は、多面付用の第１基材シート２ａ（図３参照）と、この多面付用の第１基材シート２ａ上に配置され、多数（例えば、５０個）の貫通孔５５を有する多面付用の第２基材シート５ａ（図３参照）と、第２基材シート５ａの各貫通孔５５に取り付けられ、ＩＣチップ８を有するＩＣモジュール５６とを有している。
【０１２０】
このうち、第２基材５の貫通孔５５は、多面付用の第２基材５に、ＩＣモジュール５６に対応する形状となるように切削加工を施すことによって形成することができる。
【０１２１】
図１７に示すように、多面付用の第１基材シート２ａの内面上に、各ＩＣカード１を囲む打抜線１３を跨ぐように、各ＩＣカード１に対応するカード固有番号を表すバーコード１１が設けられている。このバーコード１１は、第１基材シート２ａの内面上に、非可視光により読み取ることができる材料、磁性材料、または発光材料を塗装または印刷して形成されている。
【０１２２】
これら多面付用の第１基材シート２ａ、および多面付用の第２基材シート５ａは、ＩＣモジュール５６毎に打抜線１３に沿って打ち抜かれて、第１基材２と第２基材５とＩＣモジュール５６とを備え、側面にバーコード１１が露出した単体のＩＣカード１が形成される（図１４（ａ）、（ｂ）参照）。
【０１２３】
このように本実施の形態によれば、ＩＣカード１の側面に、カード固有番号を表すバーコード１１が露出されている。このことにより、バーコード１１からカード固有番号を容易に読み取ることができ、ＩＣチップ８が破損した場合においても、この読み取られたカード固有番号に基づいて、ＩＣカード所有者の個人情報を得ることができる。また、このバーコード１１は、第１基材シート２ａの内面上に打抜線１３を跨ぐように形成されている。すなわち、バーコード１１は、第１基材２上において、第１基材２の内方から第１基材２の端縁に向かって延びている。このことにより、ＩＣカード１の側面が多少削られた場合においても、バーコード１１を露出させることができ、バーコード１１が消失することを防止することができる。このため、ＩＣカード１が偽造されることを確実に防止することができる。
【０１２４】
なお、本実施の形態においては、第１基材シート２ａの内面上にバーコード１１が形成される例について述べた。しかしながらこのことに限られることはなく、第２基材シート５ａの内面上にバーコード１１を形成しても良い。
【０１２５】
また、本実施の形態においては、ＩＣカード積層体１２が、多面付用の第１基材シート２ａと、この多面付用の第１基材シート２ａ上に配置され、５０個の貫通孔５５を有する多面付用の第２基材シート５ａと、第２基材シート５ａの各貫通孔５５に取り付けら、ＩＣチップ８を有するＩＣモジュール５６とを有し、このＩＣカード積層体１２がＩＣモジュール５６毎に打ち抜かれて、一つのＩＣカード積層体１２から５０個のＩＣカード１が得られる例について述べた。しかしながらこのことに限られることはなく、第１基材シート２ａおよび第２基材シート５ａを、任意の個数のＩＣカード１を製造可能な大きさとして、これに対応する個数の貫通孔５５を第２基材シート５ａに形成してもよい。例えば、第１基材シート２ａおよび第２基材シート５ａを、１つのＩＣカード１を製造可能な大きさとして、１つの貫通孔５５を第２基材シート５ａに形成し、一つのＩＣカード積層体１２から１個のＩＣカード１が得られるようにしても良い。
【符号の説明】
【０１２６】
１      ＩＣカード
２      第１基材
２ａ    第１基材シート
３      第１接合層
４      第２接合層
５      第２基材
５ａ    第２基材シート
６      インレット
７      インレット用基材
８      ＩＣチップ
９      アンテナ
１０    突出部
１１    バーコード
１２    ＩＣカード積層体
１３    打抜線
２１    ＩＣカード製造装置
２２    基材積層手段
２３    基材巻付手段
２４    第１接着剤塗布手段
２４ａ  サクションロール
２４ｂ  ダイ
２５    インレット配置手段
２５ａ  中間ステーション
２５ｂ  バーコード塗装手段
２６    バーコード形成手段
２７    第２接着剤塗布手段
２７ａ  ロール
２７ｂ  ダイ
２８    貼合手段
２８ａ  ニップロール
２９ａ  第１保温加熱手段
２９ｂ  第２保温加熱手段
３０    加熱加圧手段
３０ａ  コンベア
３１    冷却加圧手段
３１ａ  コンベア
３２    切断手段
３２ａ  カッタユニット
３３    集積保管手段
３３ａ  金属板
３４    定形印刷手段
３５    打抜手段
４１    個人情報確認システム
４２    読取手段
４３    第１データベース
４４    第１引出手段
４５    第１サーバ
４６    第２データベース
４７    第２引出手段
４８    第２サーバ
４９    表示手段
５１    細長延長部
５２    スリット
５３    溝
５４    インク
５５    貫通孔
５６    ＩＣモジュール
５７    基板
５８    外部端子
５９    接合層
【図１】
2011043956.tif 000003
【図２】
2011043956.tif 000004
【図３】
2011043956.tif 000005
【図４】
2011043956.tif 000006
【図５】
2011043956.tif 000007
【図６】
2011043956.tif 000008
【図７】
2011043956.tif 000009
【図８】
2011043956.tif 000010
【図９】
2011043956.tif 000011
【図１０】
2011043956.tif 000012
【図１１】
2011043956.tif 000013
【図１２】
2011043956.tif 000014
【図１３】
2011043956.tif 000015
【図１４】
2011043956.tif 000016
【図１５】
2011043956.tif 000017
【図１６】
2011043956.tif 000018
【図１７】
2011043956.tif 000019